(57)【要約】【課題】書類の綴り作業を熟練を要さずに正確かつ容易に行えるようにする。【解決手段】書類を綴る際にステープルの打設又は穴開けの作業を正確に行うようにガイドする書類綴じ補助器であって、シート材を一方の側面が開口端５ａとされた本の外箱状に組立ててなり、開口端５ａから形成されて書類を短径の２分の１以上まで挿入可能な書類挿入部５を備えて、書類が突き当たるストッパ面５ｃを構成する側面のシート２材及びこれに続く正面・背面のシート材４，３の所定範囲が切り欠かれてステープラー３００又は穴開けパンチ２００を前記所定位置に案内させる基準としてのガイド切り欠き１２ａ，１２ｂ，１０，１１とされ、下端面を書類挿入部５の底面５ｂに密着させストッパ面５ｃに当接するまで書類を挿入することで位置決めを完了し、その状態でステープラー３００又は／及び穴開けパンチ２００がガイド切り欠き１２ａ，１２ｂ，１０，１１で案内されるものとした。【選択図】図１
2014104587.tif 000002
【特許請求の範囲】
【請求項１】
ステープラー又は穴開けパンチを用いて所定の規格による長方形の用紙を複数枚重ねた書類を綴る際に所定の位置にてステープルの打設又は穴開けの作業を正確に行うようにガイドする書類綴じ補助器であって、
所定形状のシート材を正面視略長方形状で一方の側面が開口端とされた本の外箱状に組立ててなり、前記用紙の長径よりも僅かに大きな上下幅を有した開口端から形成されて前記書類を短径の２分の１以上の深さまで挿入可能な書類挿入部を備えており、前記開口端の反対側で前記書類が突き当たるストッパ面を構成している側面のシート材及びこれに続く正面及び背面のシート材の所定範囲が部分的に切り欠かれてステープラー又は穴開けパンチを前記書類の長辺側における前記所定位置に案内させる基準となるガイド切り欠きとされ、前記書類を下端面が前記書類挿入部の底面に密着した状態で前記ストッパ面に当接するまで挿入することで位置決めが完了し、その状態でステープラー又は／及び穴開けパンチが前記各ガイド切り欠きにより案内されて前記所定位置にて前記作業を行わせる、ことを特徴とする書類綴じ補助器。
【請求項２】
前記穴開けパンチ用の横長のガイド切り欠きが上部側にも形成されている、ことを特徴とする請求項１に記載した書類綴じ補助器。
【請求項３】
その上部側の前記ガイド切り欠きでは、前記正面及び背面のシート材に形成した切り欠きの挿入方向奥側の短辺を構成している部分が、胸ビレ状に広げられて先端側の間隔が拡大されている、ことを特徴とする請求項２に記載した書類綴じ補助器。
【請求項４】
前記開口端を構成している前記背面のシート材の端縁側所定範囲が、横幅方向に延長されて正面のシート材よりも長いものとされ、正面視で前記開口端から側方に所定幅延びた書類受け面を形成しており、書類挿入時に前記書類の背面先端側を摺接させることで前記書類挿入部内に案内させるガイドとして機能する、ことを特徴とする請求項１，２または３に記載した書類綴じ補助器。
【請求項５】
前記背面のシート材は、背面視縦長長方形とされているとともに、その内面側の短径が前記用紙の長径の３分の２とされており、前記書類を長径方向を横向きにして短辺側から前記書類挿入部のストッパ面まで挿入した状態で前記書類受け面の側端線に沿って背面側に折り返すことにより、前記書類を三つ折りするための基準として用いる折り線を形成させる、ことを特徴とする請求項４に記載した書類綴じ補助器。
【請求項６】
前記穴開けパンチ用のガイド切り欠きは、前記正面及び背面のシート材が穴開けパンチの左右幅に応じた幅の長辺と挿入深さに応じた短辺による略長方形状に切り欠かれているとともに、少なくとも前記正面のシート材に形成されたガイド切り欠きの奥側長辺に、先端が長辺の中間位置を示す二等片三角形状の山形部分が延設されている、ことを特徴とする請求項１，２，３，４または５に記載した書類綴じ補助器。
【発明の詳細な説明】
【技術分野】
【０００１】
本発明は、書類綴じ補助器に関し、殊に、所定の規格による同一サイズの用紙を重ねた書類をステープラーや穴開けパンチを用いて綴る際に、その作業を正確に行えるように補助する書類綴じ補助器に関する。  
【背景技術】
【０００２】
複数枚の用紙を重ねた書類を綴って一冊に纏める際には、ステープル（ホッチキス針）で留めたりパンチ穴を穿設してバインダーや綴り紐で留めたりすることが行われている。ステープラー（ホッチキス）を用いて綴る場合は、書類の長辺側の２又は３箇所でステープル止めするのが一般的であり、穴開けパンチの場合は２穴式のものを用いて書類の長辺側又は短辺側に２つのパンチ穴を同時に穿設するのが一般的である。
【０００３】
しかし、ステープラーを用いて綴る場合、書類における長辺の二等分線を挟んだ対称位置に打設することに加え用紙端縁から同一深さで止めることが外観上好ましいところ、目測による手作業で行うのが通常であるため、正確な位置決めが実際には困難であった。また、穴開けパンチの場合も、毎回同じ位置でパンチ穴を開けないと書類を重ねて綴る際に端縁側が揃わなくなることから、穿設対象になる辺の二等分線から同一距離で２つのパンチ穴を設けるために書類を一旦２つ折りにして目印を設けているのが一般的であり、折り目が残って外観上好ましくなかった。
【０００４】
斯かる問題に対し、特開２０００−３５４９９９号公報には、書類の上に重ねる方形状の板体に正しいパンチ穴の位置にガイド用の穴を設けるとともに書類の二等分線に相当する位置に中心位置決め表示部を表示してなるパンチ穴開け補助器が提案され、書類を折り曲げずにパンチ穴の位置決めを行えるガイドとして使用できるものとしている。
【０００５】
また、特開２００６−１９８７５６号公報には、書類と同一サイズにした透明シートの端縁側に穴開けパンチの基準位置となる印を表示することに加え、ステープラーの基準位置となる切り欠きを設けてなるガイドシートも提案されており、穴開けパンチとステープラーの両方の位置決めを行えるガイドとして知られている。
【０００６】
ところが、これらのガイドは複数枚の用紙を正確に重ねた書類の上に板体やシートの端縁側を正確に合わせて載せた状態にて作業を行うものであるところ、Ａ４やＢ５等の日本工業規格による同一サイズの用紙であったとしても、例えばレーザープリンターによる熱で湾曲したコピー用紙や折り目のある用紙が集合した書類の場合は、総ての用紙の端縁を正確に揃えて重ねることは実際には容易ではない。
【０００７】
また、用紙がいったん正確に揃った場合でも、厚い書類の場合は綴り作業の途中に用紙間でずれが生じやすく、さらに前述の補助具やガイドシートは書類の上に載せただけの状態で使用するものであることから、用紙同士が作業途中でずれ動いてしまいやすいという難点もあり、これらをガイドとして用いても書類を正確に綴ることが容易ではないケースも多い。
【０００８】
さらに、穴開けパンチの場合はこれを卓上に置いて作業を行うところ、書類の下側に位置する下側部材が厚い機種では、書類の穴を開ける側が持ち上がって斜めになることでずれが生じやすくなる。そのため、厚い書類を作成して顧客に提出するような業種においては、正確に美しく綴られた書類が好まれることから、綴り作業に熟練した事務員が一部ずつ手間と時間をかけながら手作業で行っているのが現状である。
【先行技術文献】
【特許文献】
【０００９】
【特許文献１】特開２０００−３５４９９９号公報
【特許文献２】特開２００６−１９８７５６号公報
【発明の概要】
【発明が解決しようとする課題】
【００１０】
本発明は、上記のような問題を解決しようとするものであり、書類の綴り作業について、熟練を要することなく正確かつ容易に行えるようにすることを課題とする。
【課題を解決するための手段】
【００１１】
そこで、本発明は、ステープラー又は穴開けパンチを用いて所定の規格による長方形の用紙を複数枚重ねた書類を綴る際に所定の位置にてステープルの打設又は穴開けの作業を正確に行うようにガイドする書類綴じ補助器であって、所定形状のシート材を正面視略長方形状で一方の側面が開口端とされた本の外箱状に組立ててなり、前記用紙の長径よりも僅かに大きな上下幅を有した開口端から形成されて前記書類を短径の２分の１以上の深さまで挿入可能な書類挿入部を備えており、前記開口端の反対側で前記書類が突き当たるストッパ面を構成している側面のシート材及びこれに続く正面及び背面のシート材の所定範囲が部分的に切り欠かれてステープラー又は穴開けパンチを書類の長辺側における前記所定位置に案内させる基準となるガイド切り欠きとされ、前記書類を下端面が前記書類挿入部の底面に密着した状態で前記ストッパ面に当接するまで挿入することで位置決めが完了し、その状態でステープラー又は／及び穴開けパンチが前記各ガイド切り欠きにより案内されて前記所定位置にて前記作業を行わせる、ことを特徴とするものとした。
【００１２】
このように、シート材を本の外箱状に形成してなる本発明の書類綴じ補助器の書類挿入部に書類を挿入するだけで、端縁が揃った状態で書類を保持することができることに加え、所定位置に形成した各ガイド切り欠きでステープラー又は穴開けパンチを正確な位置に案内して作業可能となるため、誰が書類の綴り作業を行っても簡単且つ正確に美しい仕上がりが期待できるものとなる。
【００１３】
また、この書類綴じ補助器において、その上部側にも穴開けパンチ用の横長のガイド切り欠きが形成されていることを特徴としたものとすれば、書類の短辺側にパンチ穴開けを実施する際にも対応可能なものとなり、この場合、その上部側の前記ガイド切り欠きでは、正面及び背面のシート材に形成した切り欠きの挿入方向奥側の短辺を構成している部分が、胸ビレ状に広げられて先端側の間隔が拡大されていることを特徴としたものとすれば、挿入した書類の上武先端側が切り欠きの奥側短辺部分に引っ掛かりにくいものとなる。
【００１４】
さらに、上述した書類綴じ補助器において、前記開口端を構成している背面のシート材の端縁側所定範囲が、横幅方向に延長されて正面のシート材よりも長いものとされ、正面視で開口端から側方に所定幅延びた書類受け面を形成しており、書類挿入時に書類の背面先端側を摺接させることで書類挿入部に案内させるガイドとして機能する、ことを特徴としたものとすれば、書類の挿入作業が極めて容易なものとなり、この場合、その背面のシート材は、背面視縦長長方形とされているとともに、その内面側の短径が前記用紙の長径の３分の２とされており、書類を長径方向を横向きにして短辺側から書類挿入部のストッパ面まで挿入した状態で前記書類受け面の側端線に沿って背面側に折り返すことにより、書類を三つ折りするための基準として用いる折り線を形成させる、ことを特徴としたものとすれば、書類を綴る際のガイド機能に加え、書類を三つ折りするためのガイド機能を発揮するものとなる。
【００１５】
さらにまた、上述した書類綴じ補助器において、前記穴開けパンチ用のガイド切り欠きは、正面及び背面のシート材が穴開けパンチの左右幅に応じた幅の長辺と挿入深さに応じた短辺による略長方形状に切り欠かれているとともに、少なくとも正面のシート材に形成されたガイド切り欠きの奥側長辺に、先端が長辺の中間位置を示す二等片三角形状の山形部分が延設されている、ことを特徴としたものとすれば、穴開けパンチの精密な位置決めが容易に行えるものとなる。
【発明の効果】
【００１６】
内部で書類を揃った状態で保持しながらガイド切り欠きでステープラーや穴開けパンチを正確な位置に案内して位置決めさせるものとした本発明によると、熟練を要することなく書類の綴り作業が正確かつ容易に行えるものである。
【図面の簡単な説明】
【００１７】
【図１】（Ａ）は本発明における実施の形態の正面図、（Ｂ）はその右側面図である。
【図２】図１の書類綴じ補助器を寝かせて置いた状態の斜視図である。
【図３】図１の書類綴じ補助器の使用方法を説明するための斜視図である。
【図４】図１の書類綴じ補助器の他の使用方法を説明するための斜視図である。
【発明を実施するための形態】
【００１８】
以下に、図面を参照しながら本発明を実施するための形態を説明する。
【００１９】
図１（Ａ）は、本発明の実施の形態である書類綴じ補助器１Ａの正面図、図（Ｂ）は右側面図を示し、図２はそ斜視図を示している。本発明は、ステープラー又は穴開けパンチを用いて日本工業規格による同一サイズの長方形の用紙を重ねた書類を綴る際に、予定した位置でステープルの打設又は穴開け作業が正確に行えるようにガイドするための器具であり、綴る対象の用紙はＡ４又はＢ５を想定しているが、以下の形態においてはＡ４の場合を説明する。
【００２０】
書類綴じ補助器１Ａは、所定の厚さを有した厚紙又はポリプロピレン等の合成樹脂製のシート材を、図１（Ａ）のように正面視の形状が使用する書類１００よりも長径が僅かに大きく短径が僅かに小さい正面視略長方形として一方の側面が開口端５ａとした本の外箱状に組立ててなるものであり、書類１００の長径よりも僅かに大きくこれを挿入可能な上下幅を有した開口端５ａから形成されて前記書類１００を短径の２分の１以上の深さまで挿入可能な書類挿入部５を備えている。
【００２１】
その書類挿入部５は、前記開口端５ａの反対側で挿入した書類１００が突き当たるストッパ面５ｃを構成している側面のシート材２及びこれに続く正面のシート材４及び背面のシート材３の所定範囲が使用するステープラー３００又は穴開けパンチ２００先端側の幅よりも僅かに幅広で各挿入深さに対応した深さで部分的に切り欠かれて開口しており、その開口部分でステープラー３００及び穴開けパンチ２００を書類１００の長辺側における所定の位置に案内させるガイド切り欠き１２ａ，１２ｂ，１１を各々構成している。
【００２２】
尚、正面のシート材４が開口端５ａを構成している縦方向の直線部分の中央が弧状に延長されているとともに本来の端縁線に一致する位置の折り線４１２で前方に屈曲しており、その内側の傾斜面で書類１００を書類挿入部５内に案内する案内板４１を構成している。加えて、図１（Ａ）において書類綴じ補助器１Ａの上部左端側に形成した切り欠き構造は、書類１００の角部をステープル止めするためのガイド切り欠き１３である。
【００２３】
また、本実施の形態においては、その上部側にも横長長方形状に切り欠かれた穴開けパンチ２００用のガイド切り欠き１０が設けられており、書類の短辺側にパンチ穴開けを行う際にも対応可能なものとなっている。このガイド切り欠き１０においては、正面のシート材４及び背面のシート材３に形成した切り欠き構造のうち挿入方向奥側の短辺を構成している部分が、折り線４４２で屈曲されることで胸ビレ状に広げられて先端側の間隔が拡大してなる案内板４４ａ，４４ｂが設けられており、挿入した書類１００の上部先端側が前記短辺部分に引っ掛かりにくくなっている。
【００２４】
さらに、開口端５ａを構成している背面のシート材３の端縁側所定範囲が横幅方向に延長されて正面のシート材４よりも長いものとされて、正面視で開口端５ａから側方に所定幅延びた正面視縦長長方形の書類受け面３ａを形成している。これにより、書１００類の挿入時にその背面先端側を摺接させることで書類挿入部５内に案内させるガイドとして機能する。尚、この書類受け面３ａの端縁側に沿って物差しの目盛りを表示すれば、物差しとしても使用することができる。
【００２５】
この書類受け面３ａを有した背面のシート材３は、内面の短径ｙが用紙の長径の３分の２とされており、書類挿入部５のストッパ面５ｃまで挿入した状態で、書類受け面３ａの縦向きの端縁線に沿って背面側に折り返すことにより、書類を三つ折りさせるための基準として用いる折り線を形成させるようになっており、書類を三つ折りする際にガイド機能を発揮する。  
【００２６】
加えて、上述した穴開けパンチ用のガイド切り欠き１０，１１は、正面のシート材４、背面のシート材３が、使用する穴開けパンチの左右幅に応じてこれを挿入可能な幅の長辺と、その挿入深さに応じた幅の短辺による略長方形に切り欠かれているが、前面・背面のシート材４，３の奥側の長辺には先端が長辺の中間位置を示す二等片三角形状の山形部分による中間ガイド４２ａ，４３ａが設けられており、穴開けパンチの精密な位置決めが容易に行えるようになっている。
【００２７】
図３は、書類綴じ補助器１Ａを用いてＡ４用紙を重ねた書類１００の左側部分をステープラー３００で止めて綴る作業状態を示している。書類１００を書類挿入部５に挿入する際は、図１のように書類綴じ補助器１Ａを立てた状態で書類受け面３ａに書類１００の左端側（挿入の先端側）の背面を当てるとともに、下端面を書類受け面３ａの下部から続く底面５ｂに当てながら開口端５ａに挿入する。その際に、先端側が開いた案内板４１の内面で挿入をガイドすることに加え、ガイド切り欠き１０の奥側の短辺に設けた案内板４４ａ，４４ｂの内側面で書類１００の上端先端側がガイド切り欠き１０に引っ掛かりにくしている。
【００２８】
そして、書類１００の左端面がストッパ面５ｃに当接するまで挿入したら、その下端面を重力で底面５ｂに密着させて角の位置決めを行う。この位置決めされた状態で書類綴じ補助器１Ａの柔軟性のある前面・背面のシート材４，３を手で前後から摘んで書類１００を挟み込んでずれ動かないようにし、ガイド切り欠き１２ａ，１２ｂにステープラー３００の先端側を合わせるように挿入してステープル（ホッチキス針）を打設する。
【００２９】
このような簡単な手順で、書類１００は２箇所の正確な対称位置・深さ位置で綴られることから、誰が行っても綺麗な仕上がりが実現するものである。また、図示は省略するが、パンチ穴開け作業も同様の手順で書類１００の位置決めを行い、ガイド切り欠き１０，１１のいずれかを用いて穴開けパンチ３００を挿入し、中間ガイド４２ａ，４３ａ先端の延長線が穴開けパンチ３００の中間基準線に一致する位置で穴開けを行うことにより、図のように書類の中間線を挟んだ対称位置にパンチ穴１０１，１０２が正確に穿設されるものとなる。
【００３０】
図４は、本実施の形態の応用的な使用方法を説明するためのものであり、書類を３つ折りする際に使用する場合に関する。この書類綴じ補助器１Ａは、背面のシート材４が書類受け面３ａの分だけ正面のシート材３よりも幅広となっているが、その内面側の横幅（短径ｙ：図１（Ａ）参照）がＡ４用紙の長径（２９６ｍｍ）の３分の２（１９７ｍｍ）となっている。
【００３１】
そのため、書類１００を長径が横向きになるように短辺側から書類挿入部５に挿入してストッパ面５ｃに当接させることで、背面のシート材３の右側端縁線から書類１００における３分の１の部分が突出する。この状態で突出した部分を背面側に折り返すことで、書類１００において長径の３分の１の位置に折り線が形成され、この線に向かって残り３分の２の方の端縁を折り曲げることで、正確な３つ折りが完成する。
【００３２】
以上述べたように、本発明により、書類の綴り作業について熟練を要することなく正確かつ容易に行えるようになった。
【符号の説明】
【００３３】
１Ａ  書類綴じ補助器、２，３，４  シート材、３ａ  書類受け面、５  書類挿入部、５ａ  開口端、５ｂ  底面、５ｃ  ストッパ面、１０，１１，１２ａ，１２ｂ，１３  ガイド切り欠き、４１，４４ａ，４４ｂ  案内板、４２ａ，４３ａ  中間ガイド、１００  書類 、１０１，１０２  パンチ穴、２００  ステープラー、３００  穴開けパンチ、４１２，４４２  折り線  
【図１】
2014104587.tif 000003
【図２】
2014104587.tif 000004
【図３】
2014104587.tif 000005
【図４】
2014104587.tif 000006